(57)【要約】【課題】カバーが回動してケースの開口が開状態になった場合にカバーが導光板に接触することを阻止できる照明器具を提供する。【解決手段】照明器具１０は、底部４１及び底部４１に対向する開口４０ａを有するケース４０と、開口４０ａを覆うカバー２０と、ケース４０の底部４１に対して立設する姿勢で配置され、カバー２０の側方に位置する導光板３２と、導光板３２の端面に対向するように配置された発光素子３１ｂと、ケース４０における導光板３２寄りの位置に配置され、カバー２０を回動自在に支持する支持構造と、カバー２０が回動してケース４０の開口４０ａが開状態になった場合にカバー２０が導光板３２に接触することを阻止する接触阻止構造とを備える。【選択図】図９
2020004507.tif 000002
【特許請求の範囲】
【請求項１】
底部及び前記底部に対向する開口を有するケースと、
前記開口を覆うカバーと、
前記ケースの前記底部に対して立設する姿勢で配置され、前記カバーの側方に位置する導光板と、
前記導光板の端面に対向するように配置された発光素子と、
前記ケースにおける前記導光板寄りの位置に配置され、前記カバーを回動自在に支持する支持構造と、
前記カバーが回動して前記開口が開状態になった場合に前記カバーが前記導光板に接触することを阻止する接触阻止構造とを備える、
照明器具。
【請求項２】
前記接触阻止構造は、前記ケースの一部である、
請求項１に記載の照明器具。
【請求項３】
前記ケースは、前記底部に立設する一対の第一壁部及び第二壁部を有し、
前記第一壁部の高さは、前記第二壁部の高さよりも高く、
前記導光板は、光出射面となる第一主面とは反対側の第二主面が前記第一壁部の内面と対面するように前記第一壁部と近接して配置され、
前記第一壁部の高さ方向の先端部には、前記接触阻止構造として前記導光板の端部の両面を挟む挟み部が設けられている、
請求項２に記載の照明器具。
【請求項４】
さらに、前記支持構造として、前記ケース内に配置された金属ワイヤと、前記カバーに取り付けられた金具とを備え、
前記金具は、前記カバーが回動して前記開口が開状態になった場合に前記金属ワイヤに引っ掛けられる引っ掛け部を有する、
請求項１〜３のいずれか１項に記載の照明器具。
【請求項５】
前記金具は、金属板によって構成されており、
前記引っ掛け部は、前記金属板の一部を折り曲げることで形成された断面形状がＶ字状の溝を有する折り曲げ部である、
請求項４に記載の照明器具。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を有する照明器具に関する。
【背景技術】
【０００２】
近年、ＬＥＤを用いた照明器具が普及している。従来、この種の照明器具として、ケースと、ケースに収納されたＬＥＤ光源と、ＬＥＤ光源の光を導光する導光板とを備えるコーブ照明等の間接照明が知られている（例えば特許文献１）。
【先行技術文献】
【特許文献】
【０００３】
【特許文献１】特開２０１３−２２２７０４号公報
【発明の概要】
【発明が解決しようとする課題】
【０００４】
照明器具の中には、ＬＥＤ光源が収納されたケースの開口を覆うためにケースにカバーを取り付けたものがある。このとき、カバーが回動自在にケースに取り付けられていると、カバーが開いたときにカバーが回動し、カバーが導光板に接触して導光板を傷つけるおそれがある。これにより、照明器具の配光特性が劣化したり照明器具の外観品位が悪くなったりする。
【０００５】
本発明は、このような課題を解決するためになされたものであり、カバーが回動してケースの開口が開状態になった場合にカバーが導光板に接触することを阻止できる照明器具を提供することを目的とする。
【課題を解決するための手段】
【０００６】
上記目的を達成するために、本発明に係る照明器具の一態様は、底部及び前記底部に対向する開口を有するケースと、前記開口を覆うカバーと、前記ケースの前記底部に対して立設する姿勢で配置され、前記カバーの側方に位置する導光板と、前記導光板の端面に対向するように配置された発光素子と、前記ケースにおける前記導光板寄りの位置に配置され、前記カバーを回動自在に支持する支持構造と、前記カバーが回動して前記開口が開状態になった場合に前記カバーが前記導光板に接触することを阻止する接触阻止構造とを備える。
【発明の効果】
【０００７】
カバーが回動してケースの開口が開状態になった場合にカバーが導光板に接触することを阻止できる。
【図面の簡単な説明】
【０００８】
【図１】実施の形態に係る照明器具を斜め上方から見たときの外観斜視図である。
【図２】実施の形態に係る照明器具を斜め下方から見たときの外観斜視図である。
【図３】実施の形態に係る照明器具の設置例を示す図である。
【図４】実施の形態に係る照明器具の分解斜視図である。
【図５】実施の形態に係る照明器具における導光板ユニットの分解斜視図である。
【図６】実施の形態に係る照明器具を長手方向に垂直な平面で切断したときの断面図である。
【図７】実施の形態に係る照明器具におけるカバーの斜視図である。
【図８】実施の形態に係る照明器具において、ケースにカバーを取り付けるときの手順を説明するための図である。
【図９】実施の形態に係る照明器具において、カバーを開けるときの手順を説明するための図である。
【発明を実施するための形態】
【０００９】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１０】
また、各図は模式図であり、必ずしも厳密に図示されたものではない。また、各図において、実質的に同一の構成に対しては同一の符号を付し、重複する説明は省略又は簡略化される場合がある。また、下記の実施の形態において、「ほぼ」の表現には、製造誤差や寸法公差等を含むという意味もある。
【００１１】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。Ｙ軸方向は、照明器具の長手方向として説明される。Ｘ軸方向は、照明器具の短手方向（幅方向）として説明される。
【００１２】
（実施の形態）
［照明器具の全体構成］
まず、実施の形態に係る照明器具１０の概略構成について、図１〜図３を用いて説明する。図１は、実施の形態に係る照明器具１０を斜め上方から見たときの外観斜視図である。図２は、同照明器具１０を斜め下方から見たときの外観斜視図である。図３は、実施の形態に係る照明器具１０の設置例を示す図である。
【００１３】
図１〜図３に示される照明器具１０は、例えば住宅のリビング又は寝室等に設置されてコーブ照明又はコーニス照明等の間接照明として用いられたり、キッチン等に設置されてキッチン照明等として用いられたりする。なお、照明器具１０は、間接照明ではなく、天井等に設置されるベースライト等の主照明として用いられていてもよい。
【００１４】
図１及び図２に示すように、照明器具１０は、長尺状である。詳細は後述するが、照明器具１０が備えるケース４０は、底部４１と、底部４１に立設する一対の第一壁部４２及び第二壁部４３とを有する。第一壁部４２の高さは、第二壁部４３の高さよりも高くなっており、第一壁部４２は、導光板３２を外部から視認できないように覆い隠している。一般的な間接照明では、第一壁部４２に相当する部材は、照明器具が設置される構造物（例えば、造営材）の造作によって実現される。これに対し、照明器具１０は、ケース４０が第一壁部４２を有するため、このような造作が不要となる利点を有する。
【００１５】
図３に示されるように、照明器具１０は、例えば、底部４１が住宅等の天井１０１に対向し、かつ、第二壁部４３が住宅等の壁１０２に対向する状態で、天井１０１に取り付けられる。この場合、照明器具１０は、導光板３２が発する光によって主として壁１０２を照らす間接照明となる。照明器具１０を天井１０１に取り付ける場合、例えば、ケース４０の底部４１と天井１０１とをボルト又はネジ等で固定する。なお、照明器具１０の設置態様は、図３に示される例に限定されるものではない。
【００１６】
次に、照明器具１０の詳細な構成について、図１〜図３を参照しながら、図４〜図７を用いて説明する。図４は、実施の形態に係る照明器具１０の分解斜視図である。図５は、同照明器具１０における導光板ユニット３０の分解斜視図である。図６は、同照明器具１０を長手方向に垂直な平面で切断したときの断面図である。図７は、同照明器具１０におけるカバー２０の斜視図である。
【００１７】
図４〜図６に示すように、照明器具１０は、主として、カバー２０と、導光板ユニット３０と、ケース４０と、金属ワイヤ５０と、電源装置６０と、エンドカバー７０とを備える。以下、照明器具１０の各構成要素について説明する。
【００１８】
［導光板ユニット］
導光板ユニット３０は、エッジライト方式の導光板ユニットである。図５に示すように、導光板ユニット３０は、発光装置３１と、導光板３２と、保持部材３３と、保護カバー３４と、反射シート３５とを備える。
【００１９】
発光装置３１は、光源の一例である。具体的には、発光装置３１は、ＬＥＤを用いたＬＥＤ光源である。本実施の形態において、発光装置３１は、ＳＭＤ（Ｓｕｒｆａｃｅ  Ｍｏｕｎｔ  Ｄｅｖｉｃｅ）構造の発光モジュールであり、基板３１ａと、ＳＭＤタイプの発光素子３１ｂとを有する。なお、基板３１ａには、複数の発光素子３１ｂが配置されているが、発光装置３１は、発光素子３１ｂを少なくとも１つ備えればよい。
【００２０】
基板３１ａは、Ｙ軸方向を長手方向とする長尺状の平板である。基板３１ａの平面視形状は、矩形状であるが、その他の形状であってもよい。基板３１ａは、例えば、樹脂材料を基材とするＣＥＭ−３（Ｃｏｍｐｏｓｉｔｅ  Ｅｐｏｘｙ  Ｍａｔｅｒｉａｌ−３）基板であるが、その他の樹脂基板であってもよいし、金属材料を基材するメタルベース基板又はセラミック材料を基材とするセラミック基板であってもよい。なお、基板３１ａは、リジッド基板に限定されるものではなく、ポリイミド等を基材とするフレキシブル基板であってもよい。
【００２１】
発光素子３１ｂは、ＳＭＤ型のＬＥＤ素子であり、白色光を発する。具体的には、発光素子３１ｂは、凹部を有するパッケージと、パッケージの凹部底面に実装されたＬＥＤチップと、パッケージの凹部に充填され、ＬＥＤチップを封止する封止部材とを有する。ＬＥＤチップは、例えば、青色光を発する青色ＬＥＤチップであり、封止部材は、例えば、波長変換材料としてイットリウム・アルミニウム・ガーネット（ＹＡＧ）系の黄色蛍光体粒子を含むシリコーン樹脂（蛍光体含有樹脂）である。
【００２２】
複数の発光素子３１ｂは、基板３１ａ上に実装されており、電源装置６０から供給される電力を用いて発光する。複数の発光素子３１ｂは、具体的には、基板３１ａの長手方向に沿って直線状に並んで配置され、発光素子列を構成する。平面視において、発光素子列は、基板３１ａのＸ軸−側の端部に位置する。複数の発光素子３１ｂは、例えば、等間隔に配置される。複数の発光素子３１ｂは、主として導光板３２の端面３２ａに向けて光を発する。
【００２３】
複数の発光素子３１ｂは、基板３１ａの配線層に含まれる配線パターンによって直列接続される。なお、複数の発光素子３１ｂの電気的な接続態様（直列接続、並列接続、及び、直列接続と並列接続との組み合わせの接続等）は特に限定されるものではない。
【００２４】
導光板３２は、発光装置３１（発光素子３１ｂ）から出射した光を導光する。導光板３２は、ケース４０の底部４１に対して立設する姿勢で配置されている。また、導光板３２は、カバー２０の側方に位置している。具体的には、導光板３２は、カバー２０の幅方向の両端部のうちケース４０の第一壁部４２側の側方に配置されている。
【００２５】
導光板３２は、Ｙ軸方向を長手方向とする長尺状の透光部材である。導光板３２をＸ軸方向から見た形状は、矩形状であるが、その他の形状であってもよい。本実施の形態において、導光板３２は、矩形状の板部材である。導光板３２は、透光性を有する材料（例えば透明材料）によって形成される。導光板３２は、例えば、アクリル樹脂によって形成されるが、ポリカーボネート又はガラス等によって形成されていてもよい。
【００２６】
導光板３２は、第一端面３２ａと、第一端面３２ａとは反対側の端面である第二端面３２ｂと、第一主面３２ｃと、第一主面３２ｃとは反対側の主面である第二主面３２ｄとを有する。第一端面３２ａ及び第二端面３２ｂは、長辺側の側面である。
【００２７】
第一端面３２ａは、発光素子３１ｂから出射する光が入射する光入射面である。本実施の形態において、第一端面３２ａは、発光装置３１（複数の発光素子３１ｂ）と対向している。つまり、発光素子３１ｂは、第一端面３２ａに対向するように配置されている。本実施の形態において、発光素子３１ｂは、ケース４０の底部４１と第一端面３２ａとの間に配置されている。
【００２８】
なお、発光素子３１ｂから出射する光が第一端面３２ａに入射しさえすれば、第一端面３２ａと発光素子３１ｂとは必ずしも対向していなくてもよい。この場合、例えば光ファイバ等の他の導光部材を用いることで、発光素子３１ｂから出射する光を第一端面３２ａに入射させることができる。
【００２９】
第一主面３２ｃは、第一端面３２ａから導光板３２に入射した光が導光板３２の外部に出射する光出射面である。第一主面３２ａは、疑似発光面となり、面発光する。本実施の形態において、第一主面３２ｃは、電源装置６０の方、つまりケース４０の第二壁部４３の方を向く面となっている。
【００３０】
また、第一主面３２ｃの少なくとも一部は、カバー２０及びケース４０によって覆われておらず、照明器具１０の外部に露出している。具体的には、第一主面３２ｃのうち第二端面３２ｂ側の約２／３が露出しており、第一主面３２ｃのうち第一端面３２ａ側の約１／３がカバー２０によって隠れている。したがって、第一主面３２ｃのうち露出する部分から外部に光が出射する。
【００３１】
第二主面３２ｄは、ケース４０の第一壁部４２と対向する面である。本実施の形態において、第二主面３２ｄは、反射シート３５で覆われている。具体的には、反射シート３５は、第二主面３２ｄに接するように配置されている。これにより、導光板３２内を導光して第二主面３２ｄに到達した光は、反射シート３５で反射して第一主面３２ｃに向かって進行する。つまり、導光板３２に入射した光は、第一主面３２ｃ及び第二主面３２ｄのうち第一主面３２ｃのみから出射する。
【００３２】
第二主面３２ｄには、第一端面３２ａから入射した光を第一主面３２ｃに向けて反射するための反射構造が設けられていてもよい。第二主面３２ｄに形成される反射構造は、導光板３２に入射した光を外部に取り出す光取り出し構造の一例であり、例えば、微細な凹部（プリズム）である。また、光取り出し構造は、第一主面３２ｃに形成された微細な凹部であってもよい。なお、第一主面３２ｃ及び第二主面３２ｄに形成される光取り出し構造は、反射シート３５の替わりに設けられてもよいし、反射シート３５を配置した上でさらに設けられていてもよい。
【００３３】
このように構成される導光板３２は、第一主面３２ｃ（光出射面）とは反対側の第二主面３２ｄがケース４０の第一壁部４２の内面と対面するように第一壁部４２と近接して配置されている。
【００３４】
保持部材３３は、発光装置３１及び導光板３２を保持する。発光装置３１及び導光板３２は、保持部材３３にネジ止めされる。保持部材３３に配置された発光装置３１は保護カバー３４で覆われる。保持部材３３は、Ｙ軸方向を長手方向とする長尺状の部材であり、ケース４０の底部４１に載置される。保持部材３３及び保護カバー３４は、例えば、鋼板等の板金の折り曲げによって形成される。保持部材３３は、ケース４０の底部４１にネジ止めされる。
【００３５】
［ケース］
ケース４０は、照明器具１０の器具本体である。ケース４０は、導光板ユニット３０と電源装置６０とを収容する筐体であり、導光板ユニット３０及び電源装置６０を支持している。ケース４０は、カバー２０とともに照明器具１０の外郭をなす外郭部材である。ケース４０は、Ｙ軸方向を長手方向とする長尺状であり、Ｙ軸に垂直な平面で切断した場合の断面形状が略角括弧状である。
【００３６】
本実施の形態において、ケース４０は、非透光性である。例えば、ケース４０は、アルミニウム等の金属材料の押し出し成形によって形成された金属成型品である。したがって、ケース４０をＹ軸方向に垂直した平面で切断した断面形状は、切断位置によらずほぼ同じ形状となる。なお、ケース４０は、押し出し成形以外の工法（例えば板金のプレス加工）で作製されてもよい。また、ケース４０が金属材料によって形成されることは必須ではなく、樹脂材料によって形成されていてもよい。
【００３７】
上述のように、ケース４０は、底部４１と、第一壁部４２と、第二壁部４３とを有する。また、ケース４０は、底部４１と対向する位置に開口４０ａを有する。
【００３８】
底部４１は、ケース４０のベース部である。底部４１には、導光板ユニット３０及び電源装置６０が載置される。具体的には、導光板ユニット３０は、底部４１の内面のＸ軸−側の領域に配置され、電源装置６０は、底部４１の内面のＸ軸＋側の領域に配置される。導光板ユニット３０及び電源装置６０は、例えば底部４１にネジ止めにより固定される。
【００３９】
第一壁部４２は、底部４１の導光板３２側の端部に立設する略矩形板状の部分である。底部４１の導光板３２側の端部は、言い換えれば、底部４１のＸ軸−側の端部である。上述のように、第一壁部４２の高さは、第二壁部４３の高さよりも高い。具体的には、第一壁部４２の底部４１の主面（底面）からの高さは、第二壁部４３の底部４１の主面からの高さよりも高い。本実施の形態において、第一壁部４２は導光板３２を覆っているので、第一壁部４２の高さは、導光板３２の高さ（幅）よりも大きくなっている。なお、照明器具１０が天井等の構造物に設置された状態において、第一壁部４２は、基本的には当該構造物に接触しない。
【００４０】
第二壁部４３は、底部４１の導光板３２と反対側の端部に立設する略矩形板状の部分である。底部４１の導光板３２と反対側の端部は、言い換えれば、底部４１のＸ軸＋側の端部である。第二壁部４３の底部４１の主面からの高さは、第一壁部４２の底部４１の主面からの高さよりも低い。なお、照明器具１０が天井等の構造物に設置された状態において、第二壁部４３は、基本的には当該構造物に接触する。
【００４１】
第一壁部４２の高さ方向の先端部には、導光板３２の端部の両面を挟む挟み部４２ａが設けられている。本実施の形態において、挟み部４２ａは、導光板３２の第二端面３２ｂ側の端部において第一主面３２ｃ及び第二主面３２ｄを挟んでいる。具体的には、挟み部４２ａは、第一壁部４２の高さ方向の先端部を断面形状がコ字状となるように形成されている。この形状により、挟み部４２ａの一部は、導光板３２の第一主面３２ｃの端部を覆うように第一主面３２ｃよりＸ軸＋側（第二壁部４３側）に位置することになる。詳細は後述するが、挟み部４２ａは、カバー２０が回動してケース４０の開口４０ａが開状態になった場合にカバー２０が導光板３２に接触することを阻止する接触阻止構造として機能する。
【００４２】
［カバー］
カバー２０は、ケース４０の開口４０ａを覆う蓋体である。ケース４０に収納された電源装置６０はカバー２０で覆われる。カバー２０は、Ｙ軸方向を長手方向とする長尺状である。本実施の形態において、カバー２０の長手方向の長さは、ケース４０の長手方向の長さとぼほ同じである。
【００４３】
カバー２０は、例えば、アルミニウム等の金属材料の押し出し成形によって作製される。したがって、カバー２０をＹ軸方向に垂直した平面で切断した断面形状は、切断位置によらずほぼ同じ形状となる。なお、カバー２０は、押し出し成形以外の工法で作製されてもよい。また、カバー２０は、金属材料に限らず、樹脂材料によって構成されていてもよい。
【００４４】
本実施の形態において、カバー２０の表面は、光反射性を有する光反射面である。つまり、カバー２０は、反射カバーである。例えば、カバー２０の表面に白色の塗料が塗ることでカバー２０の表面を光反射面にすることができる。このようにカバー２０の表面を光反射面にすることで、導光板３２から出射した光をカバー２０の表面で反射させることができる。これにより、導光板３２から出射した光の利用効率を高めることができる。なお、カバー２０の表面は光反射面になっていなくてもよい。
【００４５】
また、カバー２０の表面は、傾斜面を含む。本実施の形態において、カバー２０の表面全体が傾斜面となっている。具体的には、カバー２０は、導光板３２の近くに位置する部分ほどケース４０の底部４１からの高さが低くなるように湾曲している。つまり、カバー２０の表面は、導光板３２に向かって落ち込むように湾曲した傾斜面になっている。この構成により、カバー２０が傾斜していない場合よりも導光板３２の第一主面３２ｃの露出面積が増えるため、導光板３２の第一主面３２ｃから出射した光の利用効率を高めることができる。また、カバー２０の表面を平面ではなく湾曲面にすることで、より均一に光を反射させることができる。
【００４６】
カバー２０は、ケース４０に配置された支持構造によって回動自在に支持されている。具体的には、照明器具１０は、カバー２０を回動自在に支持する支持構造として、ケース４０内に配置された金属ワイヤ５０と、カバー２０に取り付けられた第一金具２１とを備える。カバー２０を回動自在に支持する支持構造は、ケース４０における導光板３２寄りの位置に配置されている。
【００４７】
具体的には、金属ワイヤ５０は、導光板ユニット３０の保護カバー３４にネジ止めされている。金属ワイヤ５０は、例えばステンレス製であるが、これに限らない。
【００４８】
また、第一金具２１は、カバー２０のＸ軸−側の端部に配置される。つまり、第一金具２１は、カバー２０の導光板３２側（ケース４０の第一壁部４２側）の端部に取り付けられている。具体的には、２つの第一金具２１がネジ止めによりカバー２０の内面に固定されている。
【００４９】
第一金具２１は、金属板によって構成されている。第一金具２１は、金属板の一部を折り曲げることで形成された第一折り曲げ部２１ａ及び第二折り曲げ部２１ｂを有する。
【００５０】
第一折り曲げ部２１ａは、断面形状がＶ字状の溝を有する。具体的には、第一折り曲げ部２１ａは、金属板を２回折り曲げることで形成されている。詳細は後述するが、第一折り曲げ部２１ａは、カバー２０が回動してケース４０の開口４０ａが開状態になった場合に金属ワイヤ５０に引っ掛けられる引っ掛け部として機能する。これにより、カバー２０を開けたときにカバー２０が落下することを防止できる。つまり、第一折り曲げ部２１ａは、カバー２０の落下防止構造として機能する。
【００５１】
第二折り曲げ部２１ｂは、保護カバー３４に形成された折り曲げ片３４ａに支持される支持部として機能する。カバー２０を開ける際、第二折り曲げ部２１ｂと折り曲げ片３４ａとの接触部を回動支点にしてカバー２０を開けることができる。
【００５２】
また、カバー２０には、第二金具２２が取り付けられている。第一金具２１は、カバー２０のＸ軸＋側の端部に配置される。つまり、第二金具２２は、カバー２０の導光板３２側とは反対側（ケース４０の第二壁部４３側）の端部に取り付けられている。具体的には、２つの第二金具２２がネジ止めによりカバー２０の内面に固定されている。
【００５３】
第二金具２２は、ケース４０の第二壁部４３に設けられた係止部（不図示）に係止される。第二金具２２がこの係止部に係止させることで、カバー２０をケース４０に固定することができる。
【００５４】
［電源装置］
電源装置６０は、導光板ユニット３０の発光装置３１に電力を供給する装置である。電源装置６０は、具体的には、ケース４０に設けられた端子台を介して得られる交流電力を発光装置３１が有する複数の発光素子３１ｂの発光に適した電力に変換し、変換された後の電力を複数の発光素子３１ｂに供給する。この結果、複数の発光素子３１ｂは、電源装置６０から供給された電力によって発光する。
【００５５】
電源装置６０は、具体的には、例えば、交流電力を直流電力に変換する回路を備える。当該回路を構成する複数の回路素子には、例えば、電解コンデンサやセラミックコンデンサ等の容量素子、抵抗器等の抵抗素子、整流素子、ヒューズ、ノイズフィルタ、ダイオード、及び、集積回路素子等の半導体素子等が含まれる。交流電力を直流電力に変換する回路は、例えば、スイッチング電源回路である。
【００５６】
［エンドカバー］
エンドカバー７０は、ケース４０の長手方向の端部を覆うエンドキャップである。本実施の形態において、エンドカバー７０は、ケース４０の長手方向の両端部の各々に取り付けられている。エンドカバー７０は、例えば、ケース４０の底部４１にネジ止めされるが、これに限らない。
【００５７】
エンドカバー７０は、例えば、ＡＳＡ（Ａｃｒｙｌａｔｅ  Ｓｔｙｒｅｎｅ  Ａｃｒｙｌｏｎｉｔｒｉｌｅ）樹脂又はポリブチレンテレフタレート等の樹脂材料によって構成されるが、金属材料によって形成されていてもよい。
【００５８】
なお、複数の照明器具１０を連結する場合、ケース４０の長手方向の一方の端部には、エンドカバーが設けられない。
【００５９】
［カバーを取り付けるときの手順］
次に、ケース４０にカバー２０を取り付けるときの手順について、図８を用いて説明する。図８は、実施の形態に係る照明器具１０において、ケース４０にカバー２０を取り付けるときの手順を説明するための図である。
【００６０】
まず、カバー２０以外の部品を収納したケース４０を天井等の構造物に固定する。例えば、図３に示すように、ケース４０の底部４１を天井１０１に固定する。その後、ケース４０にカバー２０を取り付ける。
【００６１】
この場合、図８の（ａ）に示すように、まず、カバー２０が導光板３２に接触しないようにカバー２０を斜めに傾けた状態でケース４０内に挿入する。
【００６２】
次に、図８の（ｂ）に示すように、カバー２０のＸ軸＋側の端部がケース４０の第二壁部４３に近づくようにカバー２０を回動させることで、カバー２０の第一金具２１を金属ワイヤ５０に接触させる。このとき、第一金具２１の第一折り曲げ部２１ａを金属ワイヤ５０に接触させるとともに、第一金具２１の第二折り曲げ部２１ｂを保護カバー３４の折り曲げ片３４ａに接触させる。
【００６３】
その後、図８の（ｃ）に示すように、第二折り曲げ部２１ｂと折り曲げ片３４ａとの接触部を支点としてさらにカバー２０を回動させる。これにより、第一金具２１の第一折り曲げ部２１ａが金属ワイヤ５０からの反力によって弾性変形する。
【００６４】
そして、さらにカバー２０を回動させることで第一折り曲げ部２１ａがさらに弾性変形し、図８の（ｄ）に示すように、第一折り曲げ部２１ａが金属ワイヤ５０をくぐるようにして通過する。このとき、第一折り曲げ部２１ａは、弾性復元力によって元の状態に戻る。これにより、第一折り曲げ部２１ａの先端部が金属ワイヤ５０よりもＸ軸＋側（つまり第二壁部４３側）に位置することになる。
【００６５】
なお、図示しないが、カバー２０の第二金具２２をケース４０の第二壁部４３の係止部に係止させることで、カバー２０をケース４０に固定することができる。
【００６６】
［カバーを開けるときの手順］
次に、カバー２０を開けるときの手順について、図９を用いて説明する。図９は、実施の形態に係る照明器具１０において、カバー２０を開けるときの手順を説明するための図である。
【００６７】
図９の（ａ）に示される状態においてカバー２０を開ける際、まず、カバー２０のＸ軸＋側の端部に設けられた第二金具２２（不図示）とケース４０の第二壁部４３との係止状態を解除して、カバー２０を開ける。
【００６８】
このとき、図９の（ｂ）に示すように、カバー２０に取り付けられた第一金具２１の第一折り曲げ部２１ａが金属ワイヤ５０に引っ掛かることになる。具体的には、第一折り曲げ部２１ａの断面Ｖ字状の溝が金属ワイヤ５０に嵌まる。
【００６９】
そして、金属ワイヤ５０に第一折り曲げ部２１ａが引っ掛かった状態でカバー２０が回動し、図９の（ｃ）に示すように、ケース４０の開口４０ａが開状態となる。このとき、第一金具２１が金属ワイヤ５０に引っ掛かった状態が維持されるので、カバー２０は金属ワイヤ５０によって吊り下げられた状態で金属ワイヤ５０に支持される。したがって、カバー２０は落下しない。
【００７０】
また、図９の（ｃ）に示すように、カバー２０を回動させてケース４０の開口４０ａが完全に開状態になったときに、カバー２０は、ケース４０の第一壁部４２に設けられた挟み部４２ａに当接することになる。このように、カバー２０が挟み部４２ａに当接することで、カバー２０が導光板３２に接触することを阻止することができる。つまり、挟み部４２ａは、カバー２０が導光板３２に接触することを阻止する接触阻止構造として機能する。
【００７１】
具体的には、挟み部４２ａの一部は、導光板３２の第一主面３２ｃ（光出射面）の端部を覆うように第一主面３２ｃよりＸ軸＋側（第二壁部４３側）に位置している。この構成により、回動したカバー２０は、導光板３２に当接するよりも先に挟み部４２ａに当接することになる。これにより、カバー２０が導光板３２の第一主面３２ｃに接触することを阻止できる。したがって、カバー２０によって光出射面となる第一主面３２ｃを傷つけてしまうことを防止できる。
【００７２】
このように、本実施の形態に係る照明器具１０によれば、カバー２０が回動してケース４０の開口４０ａが開状態になった場合にカバー２０が導光板３２に接触することを阻止する接触阻止構造を備えている。
【００７３】
この構成より、ユーザがカバー２０を開けたときに又は不意にカバー２０が開いてしまったときに、カバー２０が導光板３２に接触することを阻止できる。これにより、カバー２０によって導光板３２を傷つけてしまうことを防止できるので、導光板３２の損傷によって照明器具１０の配光特性が劣化したり照明器具１０の外観品位が低下したりすることを防止できる。
【００７４】
また、本実施の形態における照明器具１０では、金属ワイヤ５０と第一金具２１とが設けられており、カバー２０が開いたときに第一金具２１の第一折り曲げ部２１ａが金属ワイヤ５０に引っ掛かる構造となっている。これにより、ユーザがカバー２０を開けたときに又は不意にカバー２０が開いてしまったときに、第一金具２１が金属ワイヤ５０に引っ掛かるので、カバー２０が落下することを防止できる。つまり、第一金具２１及び金属ワイヤ５０は、落下防止構造として機能する。
【００７５】
（変形例）
以上、本発明に係る照明器具について、実施の形態に基づいて説明したが、本発明は、上記実施の形態に限定されるものではない。
【００７６】
例えば、上記実施の形態において、照明器具１０は長尺状であったが、照明器具１０は、長尺状以外の形状であってもよい。照明器具１０は、どのような形状であってもよい。
【００７７】
また、上記実施の形態において、発光装置３１は、発光素子３１ｂとしてＳＭＤ型のＬＥＤ素子を用いたＳＭＤタイプであったが、これに限るものではなく、ＣＯＢ（Ｃｈｉｐ  Ｏｎ  Ｂｏａｒｄ）タイプであってもよい。この場合、発光素子３１ｂとしてＬＥＤチップ（ベアチップ）を用いて、基板３１ａに複数のＬＥＤチップを配列し、複数のＬＥＤチップをライン状の封止部材（例えば蛍光体含有樹脂）で一括封止すればよい。
【００７８】
また、上記実施の形態において、発光素子３１ｂは、ＬＥＤによって構成されていたが、これに限るものではない。例えば。発光素子３１ｂとしては、半導体レーザ又は有機ＥＬ（Ｅｌｅｃｔｒｏ  Ｌｕｍｉｎｅｓｃｅｎｃｅ）等のその他の固体発光素子を用いてもよい。
【００７９】
その他、実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【００８０】
１０  照明器具
２０  カバー
２１  第一金具
２１ａ  第一折り曲げ部
３１ａ  基板
３１ｂ  発光素子
３２  導光板
３２ａ  第一端面
３２ｃ  第一主面
３２ｄ  第二主面
４０  ケース
４０ａ  開口
４１  底部
４２  第一壁部
４２ａ  挟み部
４３  第二壁部
５０  金属ワイヤ
【図１】
2020004507.tif 000003
【図２】
2020004507.tif 000004
【図３】
2020004507.tif 000005
【図４】
2020004507.tif 000006
【図５】
2020004507.tif 000007
【図６】
2020004507.tif 000008
【図７】
2020004507.tif 000009
【図８】
2020004507.tif 000010
【図９】
2020004507.tif 000011